(57)【特許請求の範囲】
【請求項１】
異なるフィールド周波数を有する複数種類の映像信号を表示可能にし、１フィールドを複数のサブフィールドに分割し、各サブフィールドに輝度の重み付けを行い、各サブフィールドでの発光の有無の組み合わせにより階調表示を行う表示装置であって、
入力される映像信号のフィールド周波数を判別する判別手段と、
前記判別手段によるフィールド周波数の判別結果に応じて、フィールド周波数の変化により１フィールド内で前記複数のサブフィールド以外の余剰時間が生じる場合に、前記複数のサブフィールドを重みの小さいサブフィールドから大きいサブフィールドへ順に並べて重みの小さいサブフィールドを含む第１のグループとこの第１のグループに含まれるサブフィールドよりも重みの大きいサブフィールドを含む第２のグループとに区分し、前記余剰時間を前記第２のグループ内のサブフィールド間に均等に配分するサブフィールド間隔制御手段とを備えたことを特徴とする表示装置。
【請求項２】
１フィールドを複数のサブフィールドに分割し、各サブフィールドに輝度の重み付けを行い、各サブフィールドでの発光の有無の組み合わせにより階調表示を行う表示方法であって、
入力される映像信号のフィールド周波数を判別するステップと、
前記フィールド周波数の判別結果に応じて、フィールド周波数の変化により１フィールド内で前記複数のサブフィールド以外の余剰時間が生じる場合に、前記複数のサブフィールドを重みの小さいサブフィールドから大きいサブフィールドへ順に並べて重みの小さいサブフィールドを含む第１のグループとこの第１のグループに含まれるサブフィールドよりも重みの大きいサブフィールドを含む第２のグループとに区分し、前記余剰時間を前記第２のグループ内のサブフィールド間に均等に配分するステップとを備えたことを特徴とする表示方法。
【発明の詳細な説明】
【０００１】
【発明の属する技術分野】
本発明は、１フィールドを所定の順序で時間軸上に配列された複数のサブフィールドに分割し、各サブフィールドを階調レベルに対応させて重み付けし、映像信号に応じてサブフィールドごとに表示パネル上の画素を発光または非発光させることにより階調表示を行う表示装置および表示方法に関する。
【０００２】
【従来の技術】
プラズマディスプレイパネルを用いたプラズマディスプレイ装置は、薄型化および大画面化が可能であるという利点を有する。このプラズマディスプレイ装置では、画素を構成する放電セルの放電の際の発光を利用することにより画像を表示している。また、プラズマディスプレイパネルでは、二値的に発光を行うため、それぞれ重み付けらた複数の二値画像を時間的に重ねることにより中間調を表示するサブフィールド法が用いられる。
【０００３】
このサブフィールド法では、視覚の残像効果が利用できる時間内すなわち１フィールドの期間内に放電セルが発光する時間の長さまたは発光パルス数を変えて異なる階調レベルを得ている。
【０００４】
具体的には、１フィールドが複数のサブフィールドに時間分割されており、各サブフィールドにはそれぞれ重み付けがされている。各サブフィールドの重みは、各サブフィールドの発光量に対応し、例えば、発光パルス数が重みとして用いられ、１フィールド内のサブフィールドの重みの合計量が映像信号の輝度すなわち階調レベルに対応する。
【０００５】
例えば、１フィールドが８個のサブフィールドを含む場合、各サブフィールドは二進法に従ってそれぞれ１、２、４、８、１６、３２、６４および１２８の輝度レベルに対応した重みが与えられている。
【０００６】
図１１はフィールド周波数６０Ｈｚの映像信号の受信時のサブフィールドの分割方法の一例を示す模式図である。
【０００７】
図１１に示すように、１フィールドの時間は１／６０秒である。１フィールドが１２個のサブフィールドｓｆ１〜ｓｆ１２に分割されている。サブフィールドｓｆ１〜ｓｆ１２にはそれぞれ異なる重みが割り付けられている。この場合、重みは発光パルス数で表される。１２個のサブフィールドｓｆ１〜ｓｆ１２のうち放電セルを発光させるべきサブフィールドを選択して組み合わせることにより階調表示を行うことができる。
【０００８】
フィールド周波数が６０Ｈｚの映像信号では、周波数が６０Ｈｚのフリッカ成分が発生する。しかし、６０Ｈｚ以上のフリッカ成分は人間の目には認識されにくいので、画質の劣化にはつながらない。
【０００９】
ところで、フィールド周波数が６０Ｈｚの映像信号のみならず、ＰＡＬ(phase Alternation by Line )のようにフィールド周波数が５０Ｈｚの映像信号を表示可能なプラズマディスプレイ装置の開発が進められている。
【００１０】
図１２はフィールド周波数６０Ｈｚの映像信号を表示可能なプラズマディスプレイ装置においてフィールド周波数５０Ｈｚの映像信号を受信した場合の１フィールド内のサブフィールドの配置を示す模式図である。
【００１１】
図１２に示すように、フィールド周波数が５０Ｈｚの映像信号を受信した場合には、１フィールドの時間が１／５０秒と長くなる。各サブフィールドの構成を変更することなく、フィールド周波数が５０Ｈｚの映像信号を表示する場合、１フィールド内の最後のサブフィールドｓｆ１２の終了後に余剰時間Ｓが生じる。
【００１２】
この場合、フィールド周波数が５０Ｈｚと低くなるため、周波数が５０Ｈｚのフリッカ成分が発生する。上記のように、６０Ｈｚ以上のフリッカ成分は人間の視覚には認識されにくいが、５０Ｈｚのフリッカ成分は体感されやすい。
【００１３】
そこで、信号処理によりフィールド周波数を２倍の１００Ｈｚにし、発光の周波数を２倍にすれば、フリッカを体感することがなくなる。また、フィールド周波数を変化させないで、発光を高速化し、各サブフィールド数を２倍にし、発光回数を２倍にしても同様にフリッカを抑えることができる。
【００１４】
しかしながら、プラズマディスプレイ装置では、放電セルの放電特性から高速化には限界があり、フィールド周波数の最大値またはサブフィールド数の最大値も制限される。
【００１５】
そのため、フィールド周波数が５０Ｈｚの映像信号を受信したときにフィールド周波数の変換またはサブフィールド数の変換を行うことなく、体感されるフリッカを抑制できることが望まれる。
【００１６】
一方、上記のサブフィールド法を用いた場合、視聴者の視線が動画像を追うため、目の時間的な積分領域が空間的に変化し、動画像に対して独特の擬似輪郭状のノイズが観察される。このノイズは動画擬似輪郭と呼ばれ、画質を劣化させる原因となる。フリッカを抑制する際には、この動画擬似輪郭の増加を抑制することも考慮しなければならない。
【００１７】
本発明の目的は、フリッカを抑制しつつ異なるフィールド周波数の映像信号を表示することができる表示装置および表示方法を提供することである。
【００１８】
【課題を解決するための手段】
（１）第１の発明
第１の発明に係る表示装置は、異なるフィールド周波数を有する複数種類の映像信号を表示可能にし、１フィールドを複数のサブフィールドに分割し、各サブフィールドに輝度の重み付けを行い、各サブフィールドでの発光の有無の組み合わせにより階調表示を行う表示装置であって、入力される映像信号のフィールド周波数を判別する判別手段と、判別手段によるフィールド周波数の判別結果に応じて、フィールド周波数の変化により１フィールド内で複数のサブフィールド以外の余剰時間が生じる場合に、複数のサブフィールドを重みの小さいサブフィールドから大きいサブフィールドへ順に並べて重みの小さいサブフィールドを含む第１のグループとこの第１のグループに含まれるサブフィールドよりも重みの大きいサブフィールドを含む第２のグループとに区分し、余剰時間を第２のグループ内のサブフィールド間に均等に配分するサブフィールド間隔制御手段とを備えたものである。
【００１９】
本発明に係る表示装置においては、入力される映像信号のフィールド周波数が判別手段により判別される。フィールド周波数が低くなる場合には、１フィールド内で複数のサブフィールド以外の余剰時間が生じる。そこで、フィールド周波数の判別結果に応じて、フィールド周波数の変化により１フィールド内で複数のサブフィールド以外の余剰時間が生じる場合に、サブフィールド間隔制御手段により余剰時間が１フィールド内で複数のサブフィールド間に配分され、１フィールド内での複数のサブフィールド間の時間間隔が制御される。
【００２０】
それにより、フィールド周波数が低い場合に、１フィールド内で複数のサブフィールドが分散配置され、発光エネルギーの時間的な集中が緩和される。その結果、体感されるフリッカの発生が抑制される。
【００２８】
また、１フィールド内の複数のサブフィールドが小さな重みのサブフィールドを含む第１のグループと、大きな重みのサブフィールドを含む第２のグループとに区分され、第２のグループのサブフィールド間の時間間隔が拡張される。すなわち、重みの大きなサブフィールド間の時間間隔が重みの小さなサブフィールド間の時間間隔に比べて大きくなる。それにより、体感されやすい高い階調レベルのフリッカ成分が抑制される。
【００２９】
一方、体感されるフリッカの発生に大きく寄与しない重みの小さなサブフィールド間の時間間隔は重みの大きなサブフィールド間の時間間隔に比べて拡張されないので、低階調での動画擬似輪郭の発生の増加が抑制される。
【００３０】
また、余剰時間を単純に第２のグループのサブフィールドの数で等分することにより配分量を算出することができるので、サブフィールド間隔制御手段の回路規模を小さくすることができる。
【００３８】
（２）第２の発明
第２の発明に係る表示方法は、１フィールドを複数のサブフィールドに分割し、各サブフィールドに輝度の重み付けを行い、各サブフィールドでの発光の有無の組み合わせにより階調表示を行う表示方法であって、入力される映像信号のフィールド周波数を判別するステップと、フィールド周波数の判別結果に応じて、フィールド周波数の変化により１フィールド内で複数のサブフィールド以外の余剰時間が生じる場合に、複数のサブフィールドを重みの小さいサブフィールドから大きいサブフィールドへ順に並べて重みの小さいサブフィールドを含む第１のグループとこの第１のグループに含まれるサブフィールドよりも重みの大きいサブフィールドを含む第２のグループとに区分し、余剰時間を第２のグループ内のサブフィールド間に均等に配分するステップとを備えたものである。
【００３９】
本発明に係る表示方法においては、入力される映像信号のフィールド周波数が判別される。フィールド周波数が低くなる場合には、１フィールド内で複数のサブフィールド以外の余剰時間が生じる。そこで、フィールド周波数の判別結果に応じて、フィールド周波数の変化により１フィールド内で複数のサブフィールド以外の余剰時間が生じる場合に、余剰時間が１フィールド内で複数のサブフィールド間に配分され、１フィールド内での複数のサブフィールド間の時間間隔が制御される。
【００４０】
それにより、フィールド周波数が低い場合に、１フィールド内で複数のサブフィールドが分散配置され、発光エネルギーの時間的な集中が緩和される。その結果、体感されるフリッカの発生が抑制される。
【００４８】
また、１フィールド内の複数のサブフィールドが小さな重みのサブフィールドを含む第１のグループと、大きな重みのサブフィールドを含む第２のグループとに区分され、第２のグループのサブフィールド間の時間間隔が拡張される。すなわち、重みの大きなサブフィールド間の時間間隔が重みの小さなサブフィールド間の時間間隔に比べて大きくなる。それにより、体感されやすい高い階調レベルのフリッカ成分が抑制される。
【００４９】
一方、体感されるフリッカの発生に大きく寄与しない重みの小さなサブフィールド間の時間間隔は重みの大きなサブフィールド間の時間間隔に比べて拡張されないので、低階調での動画擬似輪郭の発生の増加が抑制される。
【００５０】
また、余剰時間を単純に第２のグループのサブフィールドの数で等分することにより配分量を算出することができるので、回路規模を小さくすることができる。
【００５４】
【発明の実施の形態】
以下、本発明に係る表示装置の一例としてプラズマディスプレイ装置について説明する。図１は本発明の一実施の形態におけるプラズマディスプレイ装置の構成を示すブロック図である。
【００５５】
図１のプラズマディスプレイ装置は、ＰＤＰ（プラズマディスプレイパネル）１、駆動回路２，３，４、放電制御回路５、同期周波数判別部６、サブフィールド間隔制御部７、入力信号検出部８および映像信号処理部９を含む。
【００５６】
映像信号ＶＳは、入力信号検出部８および映像信号処理部９に入力される。また、同期信号ＳＹは、放電制御回路５および同期周波数判別部６に与えられる。
同期信号ＳＹは水平同期信号および垂直同期信号を含む。
【００５７】
ＰＤＰ１は、複数のデータ電極Ｄ、複数の走査電極ＳＣＮおよび複数の維持電極ＳＵＳを含む。複数のデータ電極Ｄは画面の垂直方向に配列され、複数の走査電極ＳＣＮおよび複数の維持電極ＳＵＳは画面の水平方向に配列されている。複数の維持電極ＳＵＳは共通に接続されている。データ電極Ｄ、走査電極ＳＣＮおよび維持電極ＳＵＳの各交点に放電セル１０が形成され、各放電セル１０が画面上の画素を構成する。
【００５８】
映像信号処理部９は、映像信号ＶＳを画像データに変換し、駆動回路４に与える。入力信号検出部８は、映像信号ＶＳのレベルを検出し、検出結果をサブフィールド間隔制御部７に与える。同期周波数判別部６は、同期信号ＳＹに基づいて映像信号ＶＳのフィールド周波数を判別し、判別結果をサブフィールド間隔制御部７に与える。本実施の形態では、同期周波数判別部６は、映像信号ＶＳのフィールド周波数が６０Ｈｚであるか５０Ｈｚであるかを判別する。
【００５９】
放電制御回路５は、初期化パルスを発生する初期化パルス発生回路５１、書き込みパルスを発生する書き込みパルス発生回路５２、維持パルスを発生する維持パルス発生回路５３および消去パルスを発生する消去パルス発生回路５４を含む。
【００６０】
この放電制御回路５は、同期信号ＳＹに同期して初期化パルス発生回路５１により発生される初期化パルス、書き込みパルス発生回路５２により発生される書き込みパルス、維持パルス発生回路５３により発生される維持パルスおよび消去パルス発生回路５４により発生される消去パルスを駆動回路２に順次与えるとともに、維持パルス発生回路５３により発生される維持パルスを駆動回路３に与える。
【００６１】
放電制御回路５は、フィールド周波数６０Ｈｚの映像信号ＶＳを受信した場合には、図１１に示したように１フィールドを１２個のサブフィールドｓｆ１〜ｓｆ１２に分割する。また、放電制御回路５は、フィールド周波数５０Ｈｚの映像信号ＶＳを受信した場合には、サブフィールド間隔制御部７の制御に従ってサブフィールド間の時間間隔を制御することにより１フィールド内の１２個のサブフィールドｓｆ１〜ｓｆ１２を後述する方法で分散配置する。
【００６２】
駆動回路４は、各サブフィールドの書き込み期間で映像信号処理部９から与えられる画像データに基づいて複数のデータ電極Ｄを選択的に駆動する。駆動回路２は、各サブフィールドで放電制御回路５から順に与えられる初期化パルス、書き込みパルスおよび維持パルスに応答して複数の走査電極ＳＣＮを順次的に駆動する。駆動回路３は、各サブフィールドで放電制御回路５から与えられる維持パルスおよび消去パルスに応答して複数の維持電極ＳＵＳを駆動する。
【００６３】
サブフィールド間隔制御部７は、入力信号検出部８による映像信号のレベルの検出結果および同期周波数判別部６による周波数の判別結果に基づいて放電制御回路５により形成される複数のサブフィールド間の時間間隔を制御する。
【００６４】
本実施の形態では、同期周波数判別部６が判別手段に相当し、放電制御回路５およびサブフィールド間隔制御部７が間隔制御手段に相当し、放電制御回路５および入力信号検出部８が重み付け制御手段に相当する。
【００６５】
図２は図１のプラズマディスプレイ装置におけるフィールド周波数５０Ｈｚの映像信号の受信時のサブフィールド配置方法の第１の例を示す模式図である。
【００６６】
図２に示すように、１フィールドが１２個のサブフィールドｓｆ１〜ｓｆ１２を含む。本例では、１２個のサブフィールドｓｆ１〜ｓｆ１２間の時間間隔ｄが等しくなるように１フィールド内で１２個のサブフィールドｓｆ１〜ｓｆ１２を等間隔で分散配置する。この場合、フィールド周波数が６０Ｈｚから５０Ｈｚに変化することにより生じる余剰時間Ｓ（図１２参照）をサブフィールドｓｆ１〜ｓｆ１２の数で等分し、サブフィールドｓｆ１〜ｓｆ１２間に挿入する。それにより、フィールド周波数の変化に応じてサブフィールドｓｆ１〜ｓｆ１２間の時間間隔ｄも変化する。
【００６７】
本例では、複数のサブフィールドｓｆ１〜ｓｆ１２が１フィールド内に分散配置されることにより、発光エネルギーの時間的な集中が緩和される。その結果、体感されるフリッカの発生が抑制される。
【００６８】
図３は図１のプラズマディスプレイ装置におけるフィールド周波数５０Ｈｚの映像信号の受信時のサブフィールド配置方法の第２の例を示す模式図である。
【００６９】
本例では、１２個のサブフィールドｓｆ１〜ｓｆ１２間の時間間隔が重み（階調レベル）に比例して大きくなるように１フィールド内で１２個のサブフィールドｓｆ１〜ｓｆ１２を重みの比率に従って分散配置する。すなわち、階調レベルの低いサブフィールド間の時間間隔は小さく、階調レベルの高いサブフィールド間の時間間隔は大きくなる。この場合、フィールド周波数が６０Ｈｚから５０Ｈｚに変化することにより生じる余剰時間Ｓをサブフィールドの重みに従って比例配分し、サブフィールドｓｆ１〜ｓｆ１２間に挿入する。
【００７０】
本例では、階調レベルの高いフリッカ成分がより体感されやすいことから、重みの大きいサブフィールド間の時間間隔をより大きく広げることにより体感されるフリッカ成分を十分に抑制することができる。また、体感されるフリッカの発生に大きく寄与しない重みの低いサブフィールド間の時間間隔を大きく広げないことにより、低階調での動画擬似輪郭の発生の増加を抑制することができる。
【００７１】
例えば人の肌のように滑らかな階調の画像に発生する動画擬似輪郭は目立ちやすいため、滑らかな階調表現に寄与する重みの小さいサブフィールドは分散させないことにより、動画擬似輪郭の発生の増加を抑制することができる。
【００７２】
図４は図１のプラズマディスプレイ装置におけるフィールド周波数５０Ｈｚの映像信号の受信時のサブフィールド配置方法の第３の例を示す模式図である。
【００７３】
本例では、１２個のサブフィールドｓｆ１〜ｓｆ１２を重みの小さい６個のサブフィールドｓｆ１〜ｓｆ６を含むグループＧ１と重みの大きい６個のサブフィールドｓｆ７〜ｓｆ１２を含むグループＧ２とに区分する。重みの小さい６個のサブフィールドｓｆ１〜ｓｆ６のグループＧ１では、サブフィールドｓｆ１〜ｓｆ６間の時間間隔ｄ１を広げず、重みの大きい６個のサブフィールドｓｆ７〜ｓｆ１２を含むグループＧ２では、サブフィールドｓｆ７〜ｓｆ１２間の時間間隔ｄ２を広げる。この場合、フィールド周波数が６０Ｈｚから５０Ｈｚに変化することにより生じる余剰時間Ｓを６等分し、グループＧ２のサブフィールドｓｆ７〜ｓｆ１２間に挿入する。
【００７４】
本例においても、階調レベルの高いフリッカ成分を抑制することにより、体感されるフリッカの発生を重点的に抑えることができる。また、体感されるフリッカの発生に大きく寄与しない重みの小さいサブフィールド間の時間間隔を大きく広げないことにより、低階調での動画擬似輪郭の発生の増加を抑制することができる。
【００７５】
図２および図４の例では、余剰時間Ｓからサブフィールド間の時間間隔の計算が容易であるため、図１のサブフィールド間隔制御部７の回路規模を小さくすることができる。
【００７６】
図５（ａ）はサブフィールドの構成の一例を示す模式図、図５（ｂ）はサブフィールドの構成の他の例を示す模式図である。
【００７７】
図５（ａ）の例では、サブフィールドｓｆ１〜ｓｆ１２の各々が初期化期間、書き込み期間、維持期間および消去期間を含む。この場合、図１のサブフィールド間隔制御部７は、サブフィールドｓｆ１〜ｓｆ１２において、先行するサブフィールドの消去期間と後続するサブフィールドの初期化期間との間の時間間隔を制御することにより、図２〜図４に示したサブフィールドｓｆ１〜ｓｆ１２の分散配置を行う。
【００７８】
図５（ｂ）の例では、サブフィールドｓｆ１〜ｓｆ１２の各々が初期化期間、書き込み期間および維持期間を含み、最後のサブフィールドｓｆ１２が初期化期間、書き込み期間、維持期間および消去期間を含む。この場合、サブフィールド間隔制御部７は、サブフィールドｓｆ１〜ｓｆ１２において、先行するサブフィールドの維持期間と後続するサブフィールドの初期化期間との間の時間間隔を制御することにより、図２〜図４に示したサブフィールドｓｆ１〜ｓｆ１２の分散配置を行う。
【００７９】
図６は図１のプラズマディスプレイ装置のＰＤＰ１におけるデータ電極、走査電極および維持電極の駆動電圧の一例を示すタイミング図である。
【００８０】
図６の例では、図５（ａ）に示したように、サブフィールドｓｆ１〜ｓｆ１２が、初期化期間、書き込み期間、維持期間および消去期間を含む。ここでは、ＰＤＰ１がＭ本のデータ電極Ｄ１〜ＤＭ、Ｎ本の走査電極ＳＣＮ１〜ＳＣＮＮおよびＮ本の維持電極ＳＵＳ１〜ＳＵＳＮを含むものとする。ＭおよびＮはそれぞれ正の整数である。
【００８１】
初期化期間には、複数の走査電極ＳＣＮ１〜ＳＣＮＮに初期化パルスＰｓｅｔが同時に印加される。その後、書き込み期間において、複数の走査電極ＳＣＮ１〜ＳＣＮＮに書き込みパルスＰｗが順に印加される。同時に、画像データに基づいてデータ電極Ｄ１〜ＤＭに選択的に書き込みパルスＰａが印加される。これにより、ＰＤＰ１の該当する放電セル１０において、アドレス放電が起こる。
【００８２】
次に、維持期間において、複数の走査電極ＳＣＮ１〜ＳＣＮＮに維持パルスＰｓｃが周期的に印加されるとともに、複数の維持電極ＳＵＳ１〜ＳＵＳＮに維持パルスＰｓｕが周期的に印加される。維持電極ＳＵＳ１〜ＳＵＳＮの維持パルスＰｓｕの位相は、走査電極ＳＣＮ１〜ＳＣＮＮの維持パルスＰｓｃの位相に対して１８０°ずれている。これにより、アドレス放電に続いて維持放電が起こる。
維持期間における走査電極ＳＣＮ１〜ＳＣＮＮの各々に印加される維持パルスＰｓｃおよび維持電極ＳＵＳ１〜ＳＵＳＮの各々に印加される維持パルスＰｓｕの数の合計が発光パルス数となる。
【００８３】
その後、消去期間において、複数の維持電極ＳＵＳ１〜ＳＵＳＮに消去パルスＰｅが同時に印加される。それにより、各放電セル１０における放電が終了する。
【００８４】
図６の場合、連続するサブフィールドにおいて先行するサブフィールドの消去期間の終了時点と後続するサブフィールドの初期化期間の開始時点との間の時間間隔ｄを調整することにより、図２〜図４のサブフィールドの配置方法を実現する。
【００８５】
次に、図７〜図１０を参照しながら図１のプラズマディスプレイ装置におけるサブフィールド間の間隔制御の具体例を説明する。ここでは、１フィールド内のサブフィールドｓｆ１〜ｓｆ１２が図５（ｂ）に示した構成を有する場合を説明する。
【００８６】
図７は各サブフィールドを構成する初期化期間、書き込み期間、維持期間および消去期間の時間の一例を示す図である。
【００８７】
図７に示すように、サブフィールドｓｆ１の初期化期間の時間は３４３μｓであり、サブフィールドｓｆ２〜ｓｆ１２の初期化期間の時間は１３０μｓである。また、サブフィールドｓｆ１〜ｓｆ１２の書き込み期間の時間は４２０μｓであり、維持期間の時間は６×発光パルス数である。サブフィールドｓｆ１２の消去期間の時間は１３２μｓである。
【００８８】
図８（ａ）は最大発光パルス数の場合の各サブフィールドの重みおよび所要時間の一例を示す図であり、図８（ｂ）は最小発光パルス数の場合の各サブフィールドの重みおよび所要時間の一例を示す図を示す図である。
【００８９】
図８（ａ）の例では、最大発光パルス数が１３５５であり、その場合の１フィールド内の発光の所要時間は８１３０μｓである。図８（ｂ）の例では、最小発光パルス数が５１１であり、その場合の１フィールド内の発光の所要時間は３０６６μｓである。
【００９０】
図１のサブフィールド間隔制御部７は、入力信号検出部８による映像信号のレベルの検出結果に基づいてサブフィールドｓｆ１〜ｓｆ１２の重み（発光パルス数）を図８（ａ）に示した最大発光パルス数から図８（ｂ）に示した最小発光パルス数まで例えば１００段階に切り替えることにより、適応輝度制御を行う。
【００９１】
サブフィールド数がｎの場合、１フィールド内でのサブフィールドの合計所要時間（１フィールドの駆動必要時間）ｔｓｆは次式のようになる。
【００９２】
ｔｓｆ＝ｔｓ１＋（ｔａ＋ｔｅ）＋（ｔｓ２＋ｔａ）×（ｎ−１）＋ｗ×ｎｐ
・・・（１）
ここで、ｔｓ１はサブフィールドｓｆ１の初期化期間の時間、ｔｓ２はサブフィールドｓｆ２以降の初期化期間の時間、ｔａは書き込み期間の時間、ｔｅは消去期間の時間である。また、ｗは発光パルス幅であり、ｎｐは１フィールド内の発光パルス総数である。
【００９３】
図７の例では、ｔｓ１＝３４３、ｔｓ２＝１３０、ｔａ＝４２０、ｔｅ＝１３２である。また、ｗ＝６、ｎ＝１２である。これらの値を上式（１）に代入すると、１フィールドの駆動必要時間ｔｓｆは次式のようになる。
【００９４】
ｔｓｆ＝３４３＋（４２０＋１３２）＋（１３０＋４２０）×（１２−１）＋６×ｎｐ
最大発光パルス数の場合には、図８（ａ）から発光パルス数ｎｐは１３５５であるため、発光の所要時間は８１３０μｓとなる。したがって、１フィールドの駆動必要時間ｔｓｆは次式のようになる。
【００９５】
ｔｓｆ＝６９４５＋８１３０＝１５０７５［μｓ］
最小発光パルス数の場合には、図８（ｂ）から発光パルス数ｎｐは５１１であるため、発光の所要時間は３０６６μｓとなる。したがって、１フィールドの駆動必要時間ｔｓｆは次式のようになる。
【００９６】
ｔｓｆ＝６９４５＋３０６６＝１００１１［μｓ］
入力される映像信号のフィールド周波数が５０Ｈｚの場合には、映像信号の周波数変動に対応するために３Ｈｚの余裕を持たせる。したがって、最大発光パルス数で発光の所要時間が８１３０μｓの場合には、余剰時間Ｓは次式のようになる。
【００９７】
Ｓ＝（１／５３）×１０００−１５０７５＝３７９３［μｓ］
また、最小発光パルス数で発光の所要時間が３０６６μｓの場合には、余剰時間Ｓは次式のようになる。
【００９８】
Ｓ＝（１／５３）×１０００−１００１１＝８８５７［μｓ］
図９は１フィールド内の発光パルス数と余剰時間との関係を表形式で示した図である。図１０は１フィールド内の発光パルス数と余剰時間との関係をグラフで示した図である。
【００９９】
図９および図１０に示すように、フィールド周波数５０Ｈｚの映像信号においては、最小発光パルス数５１１の場合の余剰時間は８８５７μｓとなり、最大発光パルス数１３５５の場合の余剰時間は３７９３μｓとなる。フィールド周波数６０Ｈｚの映像信号においては、最小発光パルス数５１１の場合の余剰時間は５８６２μｓとなり、最大発光パルス数１３５５の場合の余剰時間は７９８μｓとなる。
【０１００】
このように、フィールド周波数５０Ｈｚの映像信号の場合には、フィールド周波数６０Ｈｚの映像信号に比べて余剰時間が増加する。また、１フィールド内の発光パルス数が少なくなる程余剰時間は大きくなる。すなわち、余剰時間は、フィールド周波数の変化および発光パルス数の変化に応じて変化する。
【０１０１】
図１のサブフィールド間隔制御部７は、同期周波数判別部６によるフィールド周波数の判別結果および入力信号検出部８による映像信号のレベルの検出結果に基づいて上記の方法で余剰時間を算出する。さらに、サブフィールド間隔制御部７は、算出した余剰時間に基づいて図２〜図４のサブフィールドｓｆ１〜ｓｆ１２の配置方法における時間間隔を算出する。この場合、サブフィールドｓｆ１〜ｓｆ１２間の時間間隔は、余剰時間に応じて変化する。
【０１０２】
【実施例】
以下の実施例１、実施例２および比較例において、上記のようにしてして算出したフィールド周波数５０Ｈｚの映像信号での余剰時間を用いてサブフィールドｓｆ１〜ｓｆ１２を配置し、映像信号を画面上に表示した。そして、画像に発生するフリッカを評価した。
【０１０３】
実施例１では、図２の配置方法に従ってフィールド周波数５０Ｈｚでの余剰時間８８５７μｓを１２等分し、１２個のサブフィールドｓｆ１〜ｓｆ１２間に８８５７／１２＝７３８［μｓ］の時間間隔を挿入した。
【０１０４】
実施例２では、図４の配置方法に従ってフィールド周波数５０Ｈｚでの余剰時間８８５７μｓを６等分し、１２個のサブフィールドｓｆ１〜ｓｆ１２のうち後半のグループＧ２のサブフィールドｓｆ７〜ｓｆ１２間に８８５７／６＝１４７６［μｓ］の時間間隔を挿入した。
【０１０５】
比較例では、図１２に示したように、１フィールド内のサブフィールドｓｆ１〜ｓｆ１２の分散配置を行わなかった。
【０１０６】
実施例１では、比較例に比べてフリッカが２５％低減した。実施例２では、実施例１に比べてフリッカが２０％低減し、比較例に比べて４０％低減した。
【０１０７】
また、実施例２では、滑らかな階調表現において発生する動画擬似輪郭が実施例１に比べて低減され、比較例の画像に近づいた。
【０１０８】
【発明の効果】
以上のように、本発明によれば、フィールド周波数の判別結果に応じて、フィールド周波数の変化により１フィールド内で複数のサブフィールド以外の余剰時間が生じる場合に、余剰時間が１フィールド内で複数のサブフィールド間に配分され、１フィールド内での複数のサブフィールド間の時間間隔が制御される。それにより、フィールド周波数が低い場合に、１フィールド内で複数のサブフィールドが分散配置され、発光エネルギーの時間的な集中が緩和される。その結果、体感されるフリッカの発生が抑制される。
【図面の簡単な説明】
【図１】本発明の一実施の形態におけるプラズマディスプレイ装置の構成を示すブロック図
【図２】図１のプラズマディスプレイ装置におけるフィールド周波数５０Ｈｚの映像信号の受信時のサブフィールド配置方法の第１の例を示す模式図
【図３】図１のプラズマディスプレイ装置におけるフィールド周波数５０Ｈｚの映像信号の受信時のサブフィールド配置方法の第２の例を示す模式図
【図４】図１のプラズマディスプレイ装置におけるフィールド周波数５０Ｈｚの映像信号の受信時のサブフィールド配置方法の第３の例を示す模式図
【図５】各サブフィールドの構成の例を示す模式図
【図６】図１のプラズマディスプレイ装置のＰＤＰにおけるデータ電極、走査電極および維持電極の駆動電圧の一例を示すタイミング図
【図７】各サブフィールドの初期化期間、書き込み期間、維持期間および消去期間の時間の一例を示す図
【図８】最大発光パルス数の場合および最小発光パルス数の場合の各サブフィールドの重みおよび所要時間の一例を示す図
【図９】１フィールド内の発光パルス数と余剰時間との関係の一例を表形式で示した図
【図１０】１フィールド内の発光パルス数と余剰時間との関係の一例をグラフで示した図
【図１１】プラズマディスプレイ装置におけるフィールド周波数６０Ｈｚの映像信号の受信時のサブフィールドの分割方法の一例を示す模式図
【図１２】従来のプラズマディスプレイ装置におけるフィールド周波数５０Ｈｚの映像信号の受信時のサブフィールドの配置を示す模式図
【符号の説明】
１  ＰＤＰ
２，３，４  駆動回路
５  放電制御回路
６  同期周波数判別部
７  サブフィールド間隔制御部
８  入力信号検出部
９  映像信号処理部
１０  放電セル
５１  初期化パルス発生回路
５２  書き込みパルス発生回路
５３  維持パルス発生回路
５４  消去パルス発生回路
Ｄ  データ電極
ＳＣＮ  走査電極
ＳＵＳ  維持電極
【図１】
0004564139.tif 000002
【図２】
0004564139.tif 000003
【図３】
0004564139.tif 000004
【図４】
0004564139.tif 000005
【図５】
0004564139.tif 000006
【図６】
0004564139.tif 000007
【図７】
0004564139.tif 000008
【図８】
0004564139.tif 000009
【図９】
0004564139.tif 000010
【図１０】
0004564139.tif 000011
【図１１】
0004564139.tif 000012
【図１２】
0004564139.tif 000013